【事件の表示】
　平成　９年特許願第　８４４３６号「低粘度水中油型乳化組成物及びこれを用いた皮膚外用剤」拒絶査定不服審判事件〔平成　９年１１月２５日出願公開、特開平　９−３０１８４７〕について、次のとおり審決する。
【結　論】
　本件審判の請求は、成り立たない。
【理　由】
１．手続の経緯
　本願は平成９年３月１７日（優先権主張　平成８年３月１５日）の出願であって、平成１６年１月１３日付けで拒絶査定され、これに対して同年２月１８日に拒絶査定に対する審判請求がなされるとともに、同年３月１９日付けで手続補正がなされたが、当審において平成１８年１２月２１日付けで平成１６年３月１９日付け手続補正の却下の決定をなし、平成１８年１２月２１日付けで拒絶理由通知を発したところ、平成１９年２月２６日付けで意見書とともに手続補正書が提出されたものである。
　
２．本願発明
　上記のように平成１６年３月１９日付け手続補正は却下されているので、本願の請求項１〜４に係る発明は、平成１９年２月２６日付け手続補正書により補正された明細書及び図面の記載からみて、その特許請求の範囲の請求項１〜４に記載された事項により特定される以下のとおりのものと認められる。
「【請求項１】
　Ｎ−長鎖アシル酸性アミノ酸モノ塩−両親媒性物質−水系において、常温でゲルを形成し得るものの中から選択された
（Ａ）炭素原子数１２以上の長鎖アシル基を有するＮ−長鎖アシル酸性アミノ酸モノ塩及び
（Ｂ）炭素原子数１２以上の高級アルコール又は高級脂肪酸からなる両親媒性物質と、
（Ｃ）水と、
（Ｄ）油分と
を含有し、
　前記Ｎ−長鎖アシル酸性アミノ酸モノ塩及び両親媒性物質はその実質的全量が油滴界面に存在し、Ｎ−長鎖アシル酸性アミノ酸モノ塩及び両親媒性物質の油滴界面存在量は、ＤＳＣによるピーク面積比で９０％以上であり、
　乳化粒子径が０．１５μｍ以下であり、
　Ｎ−長鎖アシル酸性アミノ酸モノ塩と両親媒性物質の合計量に対して、油相が１／２倍量以上配合されており、
　Ｎ−長鎖アシル酸性アミノ酸モノ塩と両親媒性物質の合計量は水相に対し０．２重量％以上であり、
　系の粘度が３０ｃｐｓ以下であることを特徴とする低粘度水中油型乳化組成物。
　【請求項２】
　請求項１に記載の組成物において、Ｎ−長鎖アシル酸性アミノ酸ジ塩が存在し、その存在量が（Ａ）Ｎ−長鎖アシル酸性アミノ酸モノ塩に対してモル比で０．２５倍量以下であることを特徴とする低粘度水中油型乳化組成物。
　【請求項３】
　請求項１〜２の何れかに記載の組成物において、組成物のｐＨが５．５〜７であることを特徴とする低粘度水中油型乳化組成物。
　【請求項４】
　請求項１〜４の何れかに記載の低粘度水中油型乳化組成物からなることを特徴とする皮膚外用剤。」
　
３．当審が通知した拒絶理由
　平成１８年１２月２１日付け拒絶理由通知書に記載した拒絶理由の理由IIIは、本件出願の請求項１〜１０に係る発明（補正前のもの）は、その出願前日本国内又は外国において頒布された下記４．の刊行物１、２に記載された発明に基づいて、その出願前にその発明の属する技術の分野における通常の知識を有する者が容易に発明をすることができたものであるから、特許法第２９条第２項の規定により特許を受けることができない、というものである。
　
４．刊行物及び記載事項
　当審が引用した刊行物１及び２は以下のとおりである。
刊行物１：特開平０６−２７１４２１号公報
刊行物２：特開平０６−０５７２９０号公報
　
　刊行物１には以下の事項が記載されている。
記載事項１−１：特許請求の範囲の請求項１〜８
「【請求項１】
　両親媒性物質−界面活性剤−水系において常温以上でゲルを形成し得るものの中から選択された両親媒性物質及び界面活性剤と、油と、水と、を含み、前記両親媒性物質及び界面活性剤は、その実質的全量が油滴界面に存在していることを特徴とする水中油型乳化組成物。
　【請求項２】
　請求項１記載の組成物において、両親媒性物質及び界面活性剤の境界面存在量は、ＤＳＣによるピーク面積比で９０％以上であることを特徴とする水中油型乳化組成物。　
　【請求項３】
　請求項１又は２記載の組成物において、両親媒性物質及び界面活性剤が、両親媒性物質−界面活性剤−水系において形成されるゲルの転移温度が６０℃以上であるものの中から選択されたことを特徴とする水中油型乳化組成物。
　【請求項４】
　請求項１〜３記載の組成物において、乳化粒子径が０．１５μｍ以下であることを特徴とする水中油型乳化組成物。
　【請求項５】
　請求項１〜４記載の組成物において、両親媒性物質及び界面活性剤の合計量に対し、油相が１／２量以上配合されたことを特徴とする水中油型乳化組成物。
　【請求項６】
　請求項１〜５記載の組成物において、両親媒性物質及び界面活性剤の合計量は水相に対して０．２重量％以上であることを特徴とする水中油型乳化組成物。
　【請求項７】
　請求項１〜６記載の組成物において、両親媒性物質は炭素鎖長が１６以上である高級アルコール及び／又は高級脂肪酸よりなることを特徴とする水中油型乳化組成物。
　【請求項８】
　請求項１〜７記載の組成物において、界面活性剤がカチオン界面活性剤又はアニオン界面活性剤よりなることを特徴とする水中油型乳化組成物。」
　
記載事項１−２：段落【０００２】〜【０００３】
「【従来の技術】
　従来より各種乳化組成物が化粧料等の分野で汎用されている。・・・すなわち、容器内では外観上優れた透明感とともに、粘度が低く充填あるいは取り出し時の使用性を向上させ得る水溶液状の物性が好まれ、一方皮膚に塗布する際にはクリーム様の柔らかい感触が好まれる。・・・本発明は前記従来技術の課題に鑑がみなされたものであり、その目的は水溶液状の物性を有し、しかもクリーム状の使用感触を備えた水中油型乳化組成物を提供することにある。」
　
記載事項１−３：段落【００１４】〜【００１８】
「本発明者らはまず、次の比較例１，２，３及び実施例１にかかる水中油型乳化組成物を製造し、完成時の物性及びその経時変化、皮膚塗布時の使用感触について検討を行った。・・・
【表１】
──────────────────────────────────
　　　　　　　　　　　比較例１　　比較例２　　比較例３　　実施例１
──────────────────────────────────
１）ベヘニルアルコール　１．０　　　１．０　　　１．０　　　１．０
２）ステアリルアルコール０．５　　　０．５　　　０．５　　　０．５
３）ベヘニン酸　　　　　０．５　　　０．５　　　０．５　　　０．５
４）ステアリン酸　　　　０．５　　　０．５　　　０．５　　　０．５
５）流動パラフィン　　　　−　　　　５．０　　　５．０　　　５．０
６）ＫＯＨ　　　　　　　０．１５　　０．１５　　０．１５　　０．１５
７）１,３−ブチレングリコール
　　　　　　　　　　　１０．０　　１０．０　　１０．０　　１０．０
８）イオン交換水　　　１５．０　　１５．０　　１５．０　　１５．０
９）イオン交換水　　　　残量　　　　残量　　　　残量　　　　残量
──────────────────────────────────
　
・・・以上のように製造された比較例１，２，３及び実施例１にかかる乳化組成物は、下記のような物性及び使用感を有していた。
【表２】
──────────────────────────────────
　　　　　　　比較例１　　　比較例２　　　比較例３　　　実施例１
──────────────────────────────────
乳化粒子径　　　−　　　　１〜１０μm　　０．２４nm   ０．０７nm
──────────────────────────────────
直後粘度　　　５５cps　　　２２０cps　　　　２５cps　　　１２cps
　　外観　　　　白濁　　　　　白濁　　　　やや白濁　　　半透明
──────────────────────────────────
４０℃１か月後　−　　　　　　○　　　　　　　△　　　　　　○
安定性　　　　　　　　　　　　　　（濁度上昇・クリーミング）
──────────────────────────────────
塗布時のクリー　−　　　　　　○　　　　　　　○　　　　　　○
ム様の使用感触
──────────────────────────────────
　
　前記表２より明らかなように、比較例２はクリームの使用感触は得られるが、粘度が高く水溶液状の物性は得られない。さらに比較例３は、透明性が増し粘度も低くなり水溶液状の物性に近づくが、両親媒性物質及び界面活性剤が水相中に残存することから安定性（経時でブツの発生や濁度上昇、クリーミング等）は悪化する。」
　
　刊行物２には、以下の事項が記載されている。
記載事項２−１：特許請求の範囲の請求項１〜２
「【請求項１】
　（Ａ）炭素原子数８〜２２のアシル基を有するＮ−長鎖アシル酸性アミノ酸塩と、（Ｂ）水とを重量比で（Ａ）／（Ｂ）＝５／９５〜３０／７０の範囲で含む組成物から得られるチキソトロピーを有するゲル状組成物。
　【請求項２】
　前記（Ａ）成分、（Ｂ）成分に加えて、（Ｃ）油成分を重量比で（Ｃ）／（（Ａ）＋（Ｂ））＝１／９９〜９０／１０の範囲で含む組成物から得られるチキソトロピーを有するゲル状組成物。」
　
記載事項２−２：段落【００１３】〜【００１５】
「本発明者らはさらに、・・・油成分を組成物中に含有することができるということを見いだした。
　添加する油成分としては、・・・オクチルドデカノール等の高級アルコール類・・・があげられ・・・る。・・・油成分の添加はゲル状組成物を調製した後に行ってもよいが、ゲル状組成物の調製時に添加しておいてもよい。
　このような油成分を配合されたゲル状組成物は、化粧料、洗浄剤、外用医薬品の基剤として利用することができる。」
　
記載事項２−３：段落【００１６】
「【発明の効果】
　本発明のゲル状組成物は、比較的低い界面活性剤濃度で、ゲル化促進剤を添加することなくゲル化し・・・使用部に塗布し易く、取扱い易いため使用感が良く、さらに皮膚に対する刺激性が低く、容易に多量の油成分を含有させることもできるので洗顔クリーム、クレンジングクリ−ム等の化粧料、洗浄剤または外用医薬品の基剤として用いることができる。」
　
記載事項２−４：段落【００１９】
「実施例１
　Ｎ−ステアリル−Ｌ−グルタミン酸モノナトリウム塩１０％、精製水９０％を７０℃で攪拌しながら溶解させた後、１５℃／分の速度で２０℃まで冷却しゲル状組成物を得た。」
　
５．対比・判断
（１）請求項１に係る発明について
　刊行物１の請求項１には、両親媒性物質−界面活性剤−水系において常温以上でゲルを形成し得るものの中から選択された両親媒性物質及び界面活性剤と、油と、水と、を含み、前記両親媒性物質及び界面活性剤は、その実質的全量が油滴界面に存在していることを特徴とする水中油型乳化組成物が記載されており（記載事項１−１）、当該組成物の粘度は、実施例１の場合に１２ｃｐｓであったこと（記載事項１−３）、及び当該組成物が皮膚に塗布する化粧料の分野で用いられるものであること（記載事項１−２）も記載されている。また、上記両親媒性物質として炭素鎖長が１６以上である高級アルコール及び／又は高級脂肪酸よりなるものを用いること、両親媒性物質及び界面活性剤の境界面存在量をＤＳＣによるピーク面積比で９０％以上とすること、乳化粒子径を０．１５μｍ以下とすること、両親媒性物質と界面活性剤の合計量に対して油相を１／２量以上配合すること、及び両親媒性物質と界面活性剤の合計量を水相に対して０．２重量％以上とすること（記載事項１−１）についても記載されている。そうすると、刊行物１には、「界面活性剤−両親媒性物質−水系において、常温以上でゲルを形成し得るものの中から選択された界面活性剤及び両親媒性物質と、水と、油とを含有し、前記両親媒性物質は炭素鎖長が１６以上である高級アルコール及び／又は高級脂肪酸であり、前記界面活性剤及び両親媒性物質はその実質的全量が油滴界面に存在し、界面活性剤及び両親媒性物質の境界面存在量はＤＳＣによるピーク面積比で９０％以上であり、乳化粒子径が０．１５μｍ以下であり、界面活性剤と両親媒性物質の合計量に対して油相が１／２量以上配合されており、界面活性剤と両親媒性物質の合計量は水相に対して０．２重量％以上であり、系の粘度が１２ｃｐｓである水中油型乳化組成物」に係る発明（以下、「引用発明」という。）が記載されているものと認められる。
　そこで、本願の請求項１に係る発明と引用発明とを対比すると、前者の「炭素原子数１２以上の長鎖アシル基を有するＮ−長鎖アシル酸性アミノ酸モノ塩」は、後者の「界面活性剤」の一種であるから、両者は、「界面活性剤−両親媒性物質−水系において、常温でゲルを形成し得るものの中から選択された界面活性剤及び炭素原子数１６以上の高級アルコール又は高級脂肪酸からなる両親媒性物質と、水と、油分とを含有し、前記界面活性剤及び両親媒性物質はその実質的全量が油滴界面に存在し、界面活性剤及び両親媒性物質の油滴界面存在量は、ＤＳＣによるピーク面積比で９０％以上であり、乳化粒子径が０．１５μｍ以下であり、界面活性剤と両親媒性物質の合計量に対して、油相が１／２倍量以上配合されており、界面活性剤と両親媒性物質の合計量は水相に対し０．２重量％以上であり、系の粘度が１２ｃｐｓである水中油型乳化組成物」の点で一致し、
相違点（あ）：常温でゲルを形成し得る界面活性剤として、前者では炭素原子数１２以上の長鎖アシル基を有するＮ−長鎖アシル酸性アミノ酸モノ塩を用いることが特定されているのに対し、後者ではそのように特定されていない点、
で相違する。そこで相違点（あ）について検討する。
　
相違点（あ）について
　刊行物１には、界面活性剤の選択基準の一つが「両親媒性物質−界面活性剤−水系において常温以上でゲルを形成し得るもの」であること、及びアニオン界面活性剤が用いられることが記載されている（記載事項１−１、特に請求項１及び８を参照）。
　一方、刊行物２には、炭素原子数８〜２２のアシル基を有するＮ−長鎖アシル酸性アミノ酸塩と油成分と水とにより、ゲル状組成物が得られることが記載されており（記載事項２−１）、上記Ｎ−長鎖アシル酸性アミノ酸塩は比較的低い界面活性剤濃度でゲル化促進剤を添加することなくゲル化するものであり（記載事項２−３）、具体的にはＮ−位に炭素数１８のステアリン酸残基が結合した酸性アミノ酸のモノ塩であるＮ−ステアリル−Ｌ−グルタミン酸モノナトリウム塩１０％と精製水９０％とから２０℃でゲル状である組成物を得たこと（記載事項２−４）、及び上記油成分としてオクチルドデカノール等の高級アルコール類を用いることができ、油成分はゲル状組成物の調製時に添加し得ること（記載事項２−２）が記載されている。オクチルドデカノール等の高級アルコールは引用発明における「両親媒性物質」に相当するから（記載事項１−１、特に請求項７を参照）、刊行物２記載のＮ−長鎖アシル酸性アミノ酸塩は、両親媒性物質を加えた水系において常温以上でゲルを形成し得るという、刊行物１に記載されている界面活性剤の選択基準を満足するものである。さらに、刊行物２には組成物を化粧料、洗浄剤、外用医薬品の基剤として利用することができることが記載されているから（記載事項２−２、２−３）、刊行物２記載のＮ−長鎖アシル酸性アミノ酸塩は、産業上の利用分野が皮膚に塗布する化粧料の分野である点で引用発明と共通しており、また、刊行物２記載のＮ−長鎖アシル酸性アミノ酸塩は、アニオン界面活性剤に分類されるものである点でも引用発明の界面活性剤と共通するものである（もし必要であれば、田村健夫著、「香粧品科学」、第３版、社団法人日本毛髪科学協会、１９７７年１０月１０日、ｐ．１２８〜１３０「（１）アニオン界面活性剤」の「ｇ）Ｎ−アシルアミノ酸塩」の項を参照。）。
　よって、刊行物１における界面活性剤についての記載を参考にして、引用発明と共通する分野で利用されるアニオン性界面活性剤であり、それと両親媒性物質である油成分（高級アルコール類）と水との系において常温以上でゲルを形成することが知られている刊行物２記載の炭素原子数１２以上のアシル基を有するＮ−長鎖アシル酸性アミノ酸塩を引用発明における界面活性剤として用いてみることにより、本願の請求項１に係る発明を構成することは、当業者が通常の創作能力を発揮することにより容易になし得る範囲内のことである。
　
発明の効果について
　本願発明の「低粘度で水溶液状の物性を有しながら、クリーム様のしっとりとした使用感及び保湿効果を発揮することができる」との効果、及び乳化安定性に優れるとの効果については、刊行物１の記載から当業者が予測し得るものであるし、緩衝剤などを加えることなしに液性が弱酸性となる点は、刊行物２記載のモノ塩を用いることにより自ずから生じる結果であるし、ｐＨ安定性についても、乳化物の安定性からみて当業者の予測の範囲内のことと認められる。
　なお、請求人は平成１９年２月２６日付け意見書の４．（４）の「相違点１」で、「界面活性剤として、Ｎ−長鎖アシル酸性アミノ酸モノ塩と両親媒性物質が水中で会合し、常温で良好なゲルを形成することは、従来から知られていない。また、その種類が限られた良好なゲルを形成するＮ−長鎖アシル酸性アミノ酸モノ塩−両親媒性物質−水系において、緩衝剤を加えることなしに液性が弱酸性となるような数少ない系を明らかにしたことは当業者にとって容易に想到し得た事ではないといえる。そして、・・・特別顕著な効果を発揮するのである。」と主張するが、上記「相違点（あ）について」で検討したとおり、刊行物１、２の記載に基づいて、引用発明における界面活性剤としてＮ−長鎖アシル酸性アミノ酸モノ塩を用いてみることは当業者が容易に想到し得ることであるし、本願明細書、平成１５年１１月４日付け意見書及び平成１６年５月１４日付け手続補正書（審判請求書の請求の理由の補正）に記載されている実験データを参酌しても、本願発明で得られた効果は引用発明と同等のものであって、「特別顕著」といえるほど予想外に優れた効果が得らることは裏付けられていないから、請求人の主張は採用できない。
　
　以上のとおりであるから、本願の請求項１に係る発明は刊行物１、２に記載された発明に基づいて当業者が容易に発明をすることができたものである。
　
６．むすび
　以上のとおり、本願の請求項１に係る発明は、本願の優先権主張日前に頒布された刊行物１及び２に記載された発明に基づいて当業者が容易に発明をすることができたものであるから、特許法第２９条第２項の規定により特許を受けることができない。したがって、他の請求項に係る発明を検討するまでもなく、本願は拒絶すべきものである。
　よって、結論のとおり審決する。